(57)【要約】【課題】複数の発光部が配列された有機ＥＬ素子において、各発光部から発した光が別の発光部の光と混合することを防止する。【解決手段】各発光部１１は、透明基板１２上に順に陽極層１３、有機層１４、及び陰極層１５を積層して構成する。隣接する発光部１１の間に、内部絶縁層２０を設ける。内部絶縁層２０の少なくとも左側面２０Ｌ、右側面２０Ｒに光反射材料膜２１を被膜する。光反射材料膜２１の外側にはさらに外部絶縁膜２２を被膜する。発光部１１の左右の側面Ｌ、Ｒは、外部絶縁膜２２に密着しており、光反射材料膜２１に近接する。有機層１４から左右方向又は上方向に出射した光は、光反射材料膜２１及び陰極層１５で反射して透明基板１２から下側に向けて出射する。【選択図】図１
2008277186.tif 000002
【特許請求の範囲】
【請求項１】
少なくとも一列に複数の発光部を並べ、各発光部が基板上に、陽極及び陰極のいずれか一方である第１電極層、有機層、及び陽極及び陰極の他方である第２の電極層が順に積層されて構成され、同一列に並べられ隣り合う前記発光部の側面同士の間に、前記有機層からの光を反射又は吸収する光反射部又は光吸収部が設けられることを特徴とする有機エレクトロルミネセンス素子。
【請求項２】
前記光反射部又は光吸収部は、前記発光部の側面に近接し、又は接触して設けられることを特徴とする請求項１に記載の有機エレクトロルミネセンス素子。
【請求項３】
同一列に並べられ隣り合う発光部の間には、前記基板の上に積層された絶縁層が設けられ、前記光反射部又は光吸収部は、前記絶縁層の側面に被膜される光反射材料膜又は光吸収材料膜であることを特徴とする請求項２に記載の有機エレクトロルミネセンス素子。
【請求項４】
前記絶縁層の側面において前記光反射材料膜又は光吸収材料膜の外側にはさらに外部絶縁膜が被膜され、
前記外部絶縁膜は、前記反射材料膜又は光吸収材料膜と前記第１及び第２電極層のうち少なくともいずれか一方の電極層との間を電気的に絶縁することを特徴とする請求項３に記載の有機エレクトロルミネセンス素子。
【請求項５】
前記基板は、前記有機層からの光を基板の厚さ方向に透過させると共に、
同一列に並べられ隣り合う発光部の間における、前記基板の内部に、前記基板の上面から下面にわたって延びる、前記有機層からの光の少なくとも一部を反射又は吸収する光反射壁又は光吸収壁が設けられることを特徴とする請求項１乃至４のいずれか一項に記載の有機エレクトロルミネセンス素子。
【請求項６】
前記基板は、基板の厚さ方向に光を透過させる複数の微小導光部を有し、前記各微小導光部の外周面は前記有機層からの光の少なくとも一部を反射又は吸収する光反射部又は光吸収部で覆われていることを特徴とする請求項１乃至５のいずれか一項に記載の有機エレクトロルミネセンス素子。
【請求項７】
前記各微小導光部は前記各発光部に対応して設けられることを特徴とする請求項６に記載の有機エレクトロルミネセンス素子。
【請求項８】
前記各発光部に対応して設けられた各微小導光部は、その下面が下側に膨らみ、正のパワーを有するレンズとして形成されることを特徴とする請求項７に記載の有機エレクトロルミネセンス素子。
【請求項９】
露光用ヘッドとして用いられることを特徴とする請求項１乃至８のいずれか一項に記載の有機エレクトロルミネセンス素子。
【発明の詳細な説明】
【技術分野】
【０００１】
本発明は、有機エレクトロルミネセンス素子（以下有機ＥＬ素子という）に関し、特にレーザープリンター等の画像形成装置の露光ヘッドに用いられる有機ＥＬ素子に関する。
【背景技術】
【０００２】
従来有機ＥＬ素子が、画像形成装置の露光ヘッドとして用いられるものが種々提案されている。例えば特許文献１に示された有機ＥＬ素子の露光ヘッドは、少なくとも１列の画素状に配列された複数の発光部と、各発光部に対応するように設けられた集光光学系としてのボールレンズとによって構成される。この露光ヘッドでは、発光部から発した光は、集光光学系によって、感光ドラム等の像担持体上に集光させられ、１列の発光部の光に基づき、像担持体に１ラインの画像が形成される。
【０００３】
特許文献１において、有機ＥＬ素子としてはトップエミッション型の有機ＥＬ素子が用いられている。具体的には、ガラス基板に１列に並べられた複数の穴が設けられ、各穴に陽極層、有機層が積層されると共に、ガラス基板表面に穴を覆うように透明陰極層が成膜されて、画素状に配列された発光部が形成される。そして、各発光部からの光は、透明陰極層を介して基板の上方に向けて出射される。
【特許文献１】特開２００４−１９５６７６号公報
【発明の開示】
【発明が解決しようとする課題】
【０００４】
しかし、各発光部から発光した光は、有機層から拡散して出射するので、一部がガラス基板の内部又は透明陰極層の内部を伝播し、隣接する発光部まで導かれることがある。このように伝播した光は、その隣接する発光部から発した光と混合することとなるので、画像の再現性を悪化させる原因となる。
【０００５】
そこで、本発明は、上記問題点に鑑みてなされたものであり、各発光部から発した光が別の発光部の光と混合することを防止し、画像形成装置における画像の再現性を良好にすることを目的とする。
【課題を解決するための手段】
【０００６】
本発明に係る有機ＥＬ素子は、少なくとも一列に複数の発光部を並べ、各発光部が基板上に、陽極及び陰極のいずれか一方である第１電極層、有機層、及び陽極及び陰極の他方である第２の電極層が順に積層されて構成され、同一列に並べられ隣り合う発光部の側面同士の間に、有機層からの光を反射又は吸収する光反射部又は光吸収部が設けられることを特徴とする。
【０００７】
光反射部又は光吸収部は、発光部の側面に近接し、又は接触して設けられることが好ましい。例えば、同一列に並べられ隣り合う発光部の間には、基板の上に積層された絶縁層が設けられる。そして、光反射部又は光吸収部は、絶縁層の側面に被膜される光反射材料膜又は光吸収材料膜であることが好ましい。絶縁層の側面において光反射材料膜又は光吸収材料膜の外側にはさらに外部絶縁膜が被膜されていたほうが良い。外部絶縁膜は、反射材料膜又は光吸収材料膜と第１及び第２電極層のうち少なくともいずれか一方の電極層との間を電気的に絶縁する。
【０００８】
基板は、有機層からの光を基板の厚さ方向に透過させると共に、同一列に並べられ隣り合う発光部の間における、基板の内部に、基板の上面から下面にわたって延びる、有機層からの光の少なくとも一部を反射又は吸収する光反射壁又は光吸収壁が設けられていても良い。
【０００９】
また、基板は、基板の厚さ方向に光を透過させる複数の微小導光部を有し、各微小導光部の外周面は有機層からの光の少なくとも一部を反射又は吸収する光反射壁又は光吸収壁で構成されていても良い。各微小導光部は例えば、各発光部に対応して設けられる。発光部に対応して設けられた各微小導光部は、その下面が下側に膨らみ、正のパワーを有するレンズとして形成されていることが好ましい。なお、本発明に係る有機ＥＬ素子は、例えば露光用ヘッドとして用いられる。
【発明の効果】
【００１０】
本発明によれば、光反射部又は光吸収部によって、発光部が並べられた方向に光が伝播するのが防止され、各発光部から発した光が別の発光部の光と混合することが防止される。
【発明を実施するための最良の形態】
【００１１】
以下添付図面を参照しつつ本発明について説明する。図１は本発明の第１の実施形態に係る有機ＥＬ素子の模式的な断面図を示す。なお、以下の説明においては、図１の左右上下を実際の左右上下として説明すると共に、紙面の手前側を前方、奥側を後方として説明する。
【００１２】
本実施形態に係る有機ＥＬ素子１０は、露光ヘッドに使用される発光素子である。有機ＥＬ素子１０は、それぞれが陽極層１３、有機層１４、及び陰極層１５から構成される複数の発光部１１が１列に並べられて１本の発光ラインを形成する。図１は、１本の発光ラインを構成する発光部が左右方向に並べられた様子を示す。
【００１３】
各発光部１１の陽極層１３は、透明基板１２の上面１２Ｕに積層されており、発光部１１と同様に左右方向に複数並べられている。陽極層１３は、例えばITO（Indium Tin Oxide）、ATO(antimony doped tindioxide)、ZnO（zinc oxide）、IZO(Indium Zinc Oxide)等の透明導電性金属化合物から形成される。透明基板１２は、プラスチック、ガラス等の透明材料から形成される。
【００１４】
有機ＥＬ素子１０は、左右に並べられた２つの発光部１１の間において、さらに、透明基板１２の上面１２Ｕに積層された内部絶縁層２０を有する。内部絶縁層２０は、例えばポリイミド、アクリル誘導体化合物等の絶縁材料であって、かつ透明性を有する合成樹脂から形成される。
【００１５】
内部絶縁層２０は上方から見ると四角形に形成され、また上方に進むに従って幅が細くなる断面台形を呈し、各側面部（例えば、左側面２０Ｌ、及び右側面２０Ｒ）が斜め上方を向く傾斜面に形成される。内部絶縁層２０には、その上面２０Ｕから側面部（少なくとも、左側面２０Ｌ、及び右側面２０Ｒ）にわたって、光反射材料膜２１が被膜される。側面部に被膜された光反射材料膜２１は、その下端部が透明基板１２の上面１２Ｕに密着している。光反射材料膜２１は、後述する有機層１４から発した光を高効率で反射可能なように、反射性の高い金属で形成され、例えば銀、ニッケル、アルミニウム等で形成される。
【００１６】
内部絶縁層２０の上面２０Ｕ及び側面部において、光反射材料膜２１の外側にはさらに、外部絶縁膜２２が被膜される。左側面２０Ｌ及び右側面２０Ｒにおいて被膜された外部絶縁膜２２は、内部絶縁層２０の側面２０Ｌ、２０Ｒそれぞれに隣接する、陽極層１３の右側面、左側面に接触しており、陽極層１３の左右の端部の上面にも被膜される。外部絶縁膜２２は、光反射材料膜２１の外部への露出を防ぎ、光反射材料膜２１と陽極層１３及び陰極層１５との間を電気的に絶縁する。外部絶縁膜２２は、内部絶縁層２０と同様に透明性を有しかつ絶縁材料である合成樹脂で形成されるが、好ましくは内部絶縁層２０と同一の材料で形成される。
【００１７】
各発光部１１において、有機層１４及び陰極層１５は、左右に隣り合う２つの内部絶縁層２０の間において、陽極層１３の上にこの順で積層される。２つの内部絶縁層２０の間において、陽極層１３及び陰極層１５は、その左右の側面それぞれが、右側面２０Ｒ、左側面２０Ｌに被膜された外部絶縁膜２２に密着しつつ積層される。これにより、各発光部１１における有機層１４、陰極層１５の左右の側面それぞれは、右側面２０Ｒ、左側面２０Ｌに被膜された光反射材料膜２１に近接して設けられる。同様に、陽極層１３の左右の側面それぞれも、右側面２０Ｒ、左側面２０Ｌに被膜された光反射材料膜２１に近接して設けられる。すなわち、２つの内部絶縁層２０の間において、陽極層１３、有機層１４、及び陰極層１５の左右の側面で構成される発光部１１の左右の側面Ｌ、Ｒには、光反射材料膜２１が近接して設けられる。なお、有機層１４の上面の高さ位置は、内部絶縁層２０の上面２０Ｕの高さ位置より充分に低くなる。
【００１８】
有機層１４は、陽極層１３の左端部及び右端部の上面においては、外部絶縁膜２２を介して陽極層１３の上に積層され、その他の部分においては陽極層１４の上面に直接積層される。一般的に、陽極層１３の端部の上に積層される有機層１４は薄くなりやすく、陽極層１３の端部と陰極層１５との間はショートが発生しやすい。しかし、本実施形態では、陽極層１３の端部の上面には、外部絶縁膜２２が被膜されているため、ショートの発生が防止される。
【００１９】
有機層１４は、その層構成が限定されないが、例えば陽極層側から順に、正孔輸送層、有機発光層、電子輸送層が積層されて構成される。また、正孔輸送層と陽極層の間及び電子輸送層と陰極層の間それぞれには、正孔注入層及び電子注入層が適宜積層されていても良い。
【００２０】
同一の発光ラインを構成する発光部１１の陰極層１５は一体的に形成され、複数の発光部１１の共通電極となる。すなわち、陰極層１５は、１つの有機層１４の上面から内部絶縁層２０の上方を通って、隣接する有機層１４の上面に延びている。陰極層１５は、好ましくは、アルミニウム、ニッケル、銀等の光反射率の高い金属材料で形成され、好ましくは光反射材料膜２１と同一の材料で形成される。
【００２１】
次に、本実施形態に係る有機ＥＬ素子１０の製造方法を説明する。本実施形態では、まず、陽極層１３及び内部絶縁層２０を順に、又は同時に透明基板１２の上面１２Ｕに例えばフォトリソグラフィによって積層する。次いで、光反射材料膜２１を内部絶縁層２０の上面及び側面にスパッタリング等によって蒸着させて被膜する。その後、外部絶縁膜２２を例えばフォトリソグラフィによって、光反射材料膜２１を覆うように被膜する。外部絶縁膜２２が被膜した後、有機層１４、及び陰極層１５を順にスパッタリング等によって蒸着し、これにより有機ＥＬ素子１０が得られる。
【００２２】
次に、本実施形態に係る有機ＥＬ素子１０の作用について説明する。各発光部１１の有機層１４には、陽極層１３と陰極層１５から電力が供給され、各有機層１４はその電力に応じて光を発する。各有機層１４から発した光は、陽極層１３及び透明基板１２を通って、透明基板１２の下面１２Ｄ側から出射され、不図示の集光光学系で集光されて、感光ドラム等の像担持体に結像される。像担持体では、結像された光に応じて画像が形成される。なお、集光光学系は、各発光部に対応して設けられ、１つの発光部１１から発した光が１つの集光光学系に入射されるようにしても良いが、２つ以上の発光部１１から発した光が１つの集光光学系に入射されるようにしても良い。
【００２３】
有機層１４から発した光の一部は、拡散出射し、又は発光部１１の各層の界面で反射することにより有機層１４及び陽極層１３の内部を導波して、発光部１１の側面Ｌ、Ｒ（有機層１４及び陽極層１３の側面）から左右方向に出射する。ここで、本実施形態では、各発光部１１の側面Ｌ、Ｒには、光反射材料膜２１が近接するように配置され、左右に隣り合う発光部１１の側面Ｌ、Ｒ同士の間には、光反射材料膜２１が配置されている。したがって、発光部１１から左右方向に出射した光は、外部絶縁膜２２を透過して、光反射材料膜２１で反射される。なお、光反射材料膜２１は、入射された光の一部を吸収することはあるが、光を透過することはない。
【００２４】
以上の構成により、基板１２の上方において、各有機層１４から発した光は、隣接する発光部１１に伝播することなく、１つの発光部１１から発した光が、他の発光部１１から発した光と混合することが防止される。したがって、像担持体において再現性の良い画像を形成することができる。
【００２５】
本実施形態では、有機層１４の上面には、光反射性の良好な陰極層１５が設けられている。したがって、有機層１４から上方又は左右方向に発した光の一部は、陰極層１５及び光反射材料膜２１で１回又は２回以上反射して下方に出射するので、各発光部１１からの光の取り出し効率が高められる。なお、本実施形態では、光反射材料膜２１は、発光部１１に近接し、かつ上方向を向くように傾けられている。したがって、光反射材料膜２１で反射した光は、陰極層１５で再度反射されて透明基板１２の内部に入射されやすくなり、有機層１４から出射する光の取り出し効率を高めやすくする。
【００２６】
本実施形態では、各発光部１１の前方側及び後方側にさらに、側面部に光反射材料膜２１及び外部絶縁膜２２が被膜された内部絶縁層２０が、発光部１１に隣り合うように設けられていても良い。このような構成によれば、発光部１１の前方側及び後方側の側面にも、光反射材料膜２１が近接して設けられることとなり、発光部１１の外周面（四方の側面部）は、その全周にわたって、光反射材料膜２１に囲まれる。したがって、発光部１１から外部に光が漏れることが防止されると共に、光の取り出し効率をさらに高めることができる。
【００２７】
本実施形態においては、１本分の発光ライン（第１の発光ライン）のみの構成を示したが、発光ラインは前後方向に多数並べられていても良く、有機ＥＬ素子１０は、例えば第１の発光ラインの前後に隣接する第２及び第３の発光ラインを有していても良い。この場合、第１の発光ラインの各発光部１１の前後又は左右に隣接する内部絶縁層２０は、第２及び第３の発光ラインを構成する発光部１１にも隣接し、その側面に被膜された光反射材料膜２１が第２及び第３の発光ライン上に配置される発光部１１の側面に近接していても良い。
【００２８】
また、複数の発光ラインを有する場合、左右方向において、第１の発光ライン上に設けられた隣接する２つの発光部の間の位置それぞれに、第２及び第３の発光ラインの各発光部が設けられていたほうが良い。この場合、第１の発光ラインにおいて、隣接する２つの発光部１１の間に設けられた内部絶縁層２０の前方側及び後方側の側面に被膜された光反射材料膜２１は、第２及び第３の発光ラインにおける発光部１１の後方側及び前方側の側面に近接する光反射材料膜２１とすることが可能である。
【００２９】
なお、本実施形態では、内部絶縁層２０の上面２０Ｕには全面にわたって光反射材料膜２１が被膜され、同一の内部絶縁層２０の左側面２０Ｌ、右側面２０Ｒに被膜された光反射材料膜２１は上面２０Ｕに被膜された光反射材料膜２１を介して接続されている。しかし、上面２０Ｕには、一部しか光反射材料膜２１が被膜されておらず、同一の内部絶縁層２０の左側面２０Ｌ、右側面２０Ｒに被膜された光反射材料膜２１は接続されていなくても良い。このような場合、同一の内部絶縁層２０の左側面２０Ｌ、右側面２０Ｒに被膜された外部絶縁膜２２も同様に接続されなくなる。
【００３０】
さらに、本実施形態においては、内部絶縁層２０に光反射材料膜２１の代わりに、光吸収材料で形成された光吸収材料膜が被膜されていても良い。光吸収材料としては例えばカーボン粒子が配合された合成樹脂等である。なお、光反射材料膜２１（光吸収材料膜）は、外部絶縁膜２２を介して有機層に近接して設けられるが、光反射材料膜２１（光吸収材料膜）が絶縁体であれば、外部絶縁膜２２が省略されても良い。この場合、光反射材料膜２１（光吸収材料膜）は、発光部１１（すなわち、陽極層１３、有機層１４、及び陰極層１５）の側面Ｒ，Ｌに接触して設けられる。
【００３１】
また、本実施形態では、発光部１１のうち陰極層１５は光を透過しないので、陰極層１５の左右の側面に近接する光反射材料膜２１は省略されても良い。
【００３２】
図２は、本発明の第２の実施形態の有機ＥＬ素子の断面図を示す。本実施形態において、第１の実施形態と相違する点は、透明基板の構成のみである。以下、本実施形態について、第１の実施形態との相違点を説明する。
【００３３】
本実施形態に係る透明基板３２は、厚さ方向に延びる円柱や四角柱、六角柱等の多角形の柱状部である複数の微小導光部３３が配列されると共に、これら微小導光部３３が一体になって形成される。微小導光部３３は、例えばガラス、樹脂等の透明材料で形成される。各微小導光部３３の界面には、光反射壁３５が設けられ、すなわち、各微小導光部３３の外周面は光反射部で覆われる。光反射壁３５は、例えば、アルミニウム、ニッケル、銀等の光反射率の高い金属板又は金属膜で形成され、厚さ方向に平行に配置される。
【００３４】
各発光部１１それぞれは、各微小導光部３３に対応した位置に配置され、上方から見ると、各発光部１１の有機層１４は、各微小導光部３３の外周を囲う光反射壁３５によって取り囲まれている。したがって、各発光部１１の有機層１４から出射した光は、対応する微小導光部３３に入射され、その他の微小導光部３３に入射されることはない。各微小導光部３３に入射された光のうち、基板１０の厚さ方向（上下方向）に略平行な光は、光反射壁３５に入射されることなく、基板１２の下面１２Ｄ側から直接的に出射される。一方、厚さ方向に対して、ある程度の角度で傾いて入射される光は、光反射壁３５で反射しつつ基板１２の下面１２Ｄ側まで伝播して下面１２Ｄから出射される。
【００３５】
光反射壁３５は反射材料で形成され非透過性であるので、有機層１４からの光が光反射壁３５で反射するとき、その光の一部は光反射壁３５に吸収されるが、光反射壁３５を透過することはない。したがって、各微小導光部３３に入射された光は、その導光部３３から漏れることなく、その導光部３３内を伝播して、下面１２Ｄ側から出射される。
【００３６】
以上のように、本実施形態においては、各発光部１１から出射した光は、他の微小導光部３３に入射されることなく、厚さ方向に延びる微小導光部３３を透過して、基板１０の下面まで伝播させられる。したがって、各発光部１１から発せられた光は、透明基板３２において、他の発光部１１からの光と混合することなく、像担持体に結像されるので、像担持体に再現性の良い画像を形成することができる。
【００３７】
なお、透明基板３２は、例えば、隔壁が光反射性の金属板で形成された管状セルが、規則的に複数配列されて一体的に形成された構造体の各セル内部に、ガラスや樹脂等が流し込まれた後、ガラスが固化されて形成される。なお、このときの構造体としては、例えば、セル断面が六角形を呈するハニカム構造体であっても良いし、セル断面が、円形や楕円形、又は三角形、四角形等の他の多角形であっても良い。また、上記構造物においては、各セルの隔壁が光反射壁３５を成すと共に、セル内部に流し込まれて固化された透明材料が微小導光部３３を形成する。
【００３８】
なお、本実施形態では、１つの微小導光部３３に対応して各発光部１１が配置されたが、複数の微小導光部３３に対応して１つの発光部１１が配置されても良い。この場合、微小導光部３３の左右方向及び前後方向の幅は、有機層１４の左右方向及び前後方向の幅より小さくなる。
【００３９】
なお、本実施形態においては、透明基板１２には微小導光部３３が設けられ、上方から見ると、有機層１４は光反射壁３５によって取り囲まれている。しかし、発光ラインが１ラインしか設けられない場合、上方から見ると有機層１４を挟み込むように、有機層１４の左側及び右側に配置された光反射壁３５のみが設けられていれば、その他の光反射壁３５は省略されても良い。このような構成によれば、同一列に並べられた隣り合う発光部１１の間における、基板１２の内部に、基板１２の上面１２Ｕから下面１２Ｄまで延びる光反射壁３５が設けられることになる。したがって、同一の発光ラインにおける、１つの発光部１１から発した光が、他の発光部１１の光と混合することが防止される。なお、光反射壁３５は、上方から見ると、有機層１４に近接するので、有機層１４から出射した光の光路は、透明基板１２で広がらないので、有機層１４から出射した光を集光光学系にロス無く入射させることができる。
【００４０】
なお、本実施形態では、微小導光部３３の外周は光反射壁３５によって囲まれたが、入射された光を吸収する光吸収材料で形成される光吸収壁であっても良い。
【００４１】
図３は本発明の第３の実施形態に係る有機ＥＬ素子を示す。第３の実施形態において、第２の実施形態と相違する点は、各発光部１１に対応する各微小導光部３３がレンズとして形成されている点である。すなわち、本実施形態では、各発光部１１に対応する微小導光部３３それぞれの下面が、下側に膨らんでレンズ面４０として形成され、微小導光部３３が正のパワーを有するレンズとして形成される。このような構成によれば、透明基板３２が集光光学系の役割を果たすので、集光光学系を省略することが可能になる。また、微小導光部３３と集光光学系とが一体に形成されることになるので、微小導光部３３で導光された光を高効率で像担持体に集光させることができる。
【００４２】
なお、本実施形態においては、発光部１１に対応する微小導光部３３の下面のみにレンズ面が形成されたが、全ての微小導光部３３の下面がレンズ面に形成されても良い。また、第１の実施形態の透明基板１２の下面１２Ｄにおいても、各発光部１１に対応する部分それぞれが下側に膨らむように形成されレンズ面として形成されても良い。
【００４３】
図４は第４の実施形態に係る有機ＥＬ素子１０を示す。第１の実施形態に係る有機ＥＬ素子１０は、有機層１４からの光が透明基板１２の下面１２Ｄから取り出されるボトルエミッションタイプであったが、本実施形態では、有機ＥＬ素子１０は、発光部１１の上方側から光が取り出されるトップエミッションタイプである。
【００４４】
本実施形態では、透明基板１２側から順に陰極層１５、有機層１４、及び陽極層１３が積層される。そして、陽極層１３は、第１の実施形態と同様に、透明導電性金属化合物で形成されると共に、陰極層１５は反射性の高い金属で形成される。その他の構成は第１の実施形態と同様であるので、その説明は省略する。
【００４５】
本実施形態でも、各発光部１１の有機層１４から発した光は、陽極層１３を介して上方向に出射されて、像担持体に集光される。また、発光部１１からの光は、左右方向にも出射するが、左右方向に出射した光は、光反射材料膜２１で反射するため、他の発光部１１の光と混合することが防止される。また、有機層１４から左右方向又は下方向に出射した光は、光反射材料膜２１、陰極層１５によって反射することにより一部の光が上方向に向けて出射されるので、光の取り出し効率を高めることができる。なお、本実施形態では、発光部１１のうち、陰極層１５は光を透過しないので、陰極層１５の左右の側面に近接する光反射材料膜２１は省略されても良い。
【図面の簡単な説明】
【００４６】
【図１】本発明の第１の実施形態に係る有機ＥＬ素子の模式的な断面図である。
【図２】本発明の第２の実施形態に係る有機ＥＬ素子の模式的な断面図である。
【図３】本発明の第３の実施形態に係る有機ＥＬ素子の模式的な断面図である。
【図４】本発明の第４の実施形態に係る有機ＥＬ素子の模式的な断面図である。
【符号の説明】
【００４７】
１０  有機ＥＬ素子
１１  発光部
１２、３２  透明基板
１３  陽極層
１４  有機層
１５  陰極層
２０  内部絶縁層
２１  光反射材料膜
２２  外部絶縁膜
３３  微小導光部
３５  光反射壁
４０  レンズ
【図１】
2008277186.tif 000003
【図２】
2008277186.tif 000004
【図３】
2008277186.tif 000005
【図４】
2008277186.tif 000006